(57)【要約】【課題】鉄粉の飛散や騒音の問題がなく、高速で運転してもテンタークリップが安定して開閉するクリップ装置を提供する。【解決手段】テンタークリップ（５）のクリップレバー（１６）の頭部（２０）を磁性材料から構成する。クリップクローザ（８）およびクリップオープナ（９）を、頭部（２０）の回転軌道の外方に所定の隙間を空けて配置された複数個の磁石（２１、２２、…）から構成する。この複数個の磁石は、テンタークリップ（５）の走行方向に沿って互いに隣接する第１、２の列（４６、４７）に並べる。そして、第１の列（４６）の磁石は下方にＳ極が、第２の列（４７）の磁石は下方にＮ極が向くように配置する。【選択図】  図１
2011031528.tif 000002
【特許請求の範囲】
【請求項１】
フィルムを把持するテンタークリップと、該テンタークリップを閉じるクリップクローザと、該テンタークリップを開くクリップオープナとを備え、前記テンタークリップによってフィルムの両端部を把持して該フィルムを幅方向に延伸するクリップ装置において、
前記テンタークリップは、頭部が磁性材料から構成されているクリップレバーを備え、前記クリップレバーはベースから立ち上がったアームに回転可能に軸支され、第１の回転位置を採ると前記テンタークリップが閉じられて前記ベースと前記クリップレバーの把持部によってフィルムが把持され、第２の回転位置を採ると前記テンタークリップが開かれて前記フィルムが解放されるようになっており、
前記クリップクローザおよび前記クリップオープナは、前記クリップレバーの前記頭部の回転軌道の外方に所定の隙間を空けて配置された複数個の磁石から構成され、
前記複数個の磁石は、前記テンタークリップの走行方向に沿って互いに隣接する第１、２の列に並べられ、前記第１の列の磁石は前記クリップレバーの頭部にＳ極が対向するように、前記第２の列の磁石は前記クリップレバーの頭部にＮ極が対向するようにそれぞれ配置され、各列の磁石は、走行方向の下流に向かって少しずつずらされ、それによって前記テンタークリップが走行するとき、前記クリップレバーの頭部が磁力の引力を受けて、前記第１の回転位置から前記第２の回転位置に、あるいは前記第２の回転位置から前記第１の回転位置に回転して、前記テンタークリップが開閉するようになっていることを特徴とするクリップ装置。
【請求項２】
請求項１に記載のクリップ装置において、前記複数個の磁石は、それぞれ非磁性材料からなる所定のケースに入れられていることを特徴とするクリップ装置。
【請求項３】
請求項１に記載のクリップ装置において、前記第１の列のそれぞれの磁石と、前記第２の列のそれぞれの磁石とは、互いに隣接する２個の磁石からペアが形成され、それぞれのペアは、非磁性材料からなる同一のケースに入れられていることを特徴とするクリップ装置。
【請求項４】
請求項１〜３のいずれかの項に記載のクリップ装置において、前記クリップレバーの頭部は、飽和磁束密度が１．０Ｔ以上の磁性材料から構成され、
前記複数個の磁石と前記クリップレバーの前記頭部の回転軌道の隙間は、３〜５ｍｍ空けられていることを特徴とするクリップ装置。
【発明の詳細な説明】
【技術分野】
【０００１】
本発明は、フィルムを幅方向に延伸する延伸装置に設けられ、該フィルムの両端部を把持して幅方向に延伸するクリップ装置に関するものである。
【背景技術】
【０００２】
配向性のある樹脂で成形されたフィルムを軟化点と融点との中間の温度雰囲気で引き延ばすと、延伸方向の引っ張り強度の大きなフィルムが得られるが、このような強度の大きなフィルムを得るための装置は、延伸装置として従来周知である。延伸装置には、フィルムを長さ方向の１方向だけ延伸する１軸延伸装置や、長さ方向と幅方向の２方向に延伸できる２軸延伸装置が知られているが、２軸延伸装置のようにフィルムを幅方向に延伸する延伸装置にはクリップ装置が設けられている。クリップ装置は、図５の（ア）に示されているように、一対のレールによって案内されて広がりながらエンドレスに走行する２本のチェーンＴ、Ｔ’、これらのチェーンＴ、Ｔ’に所定の間隔に取り付けられている複数個のテンタークリップＴＣ、ＴＣ、…、所定の温度雰囲気に保たれている炉Ｒの入り口の近傍に配置されている一対のクリップクローザＣ、Ｃ’、炉Ｒの出口近傍に配置されている一対のクリップオープナＯ、Ｏ’等から構成されている。
【０００３】
フィルムの両耳部を把持してチェーンＴ、Ｔ’に牽引されて走行するテンタークリップＴＣも従来周知で、例えば特許文献１に開示され、図５の（イ）に示されているように、把持台ｂ、この把持台ｂの両側部からアーチ状に立ち上がっているアームａ、（ａ）、これらのアームａ、（ａ）の先端部に軸支されているクリップレバーｒ等から構成されている。クリップレバーｒは、スプリングｓで時計回りに回動するように付勢されており、クリップレバーｒの下方の把持部ｒ’は、把持台ｂに圧接された状態になっているが、クリップレバーｒをバネ力に抗して反時計回りに回動して回転角が所定の角度を超えると、クリップレバーｒは反時計回りに回動するように付勢され、開いた状態が維持されるようになっている。クリップクローザＣ、Ｃ’も例えば特許文献２に示されているように従来周知で、一般に図５の（イ）に示されているように、延伸するフィルムＦに垂直な鉛直軸Ｊ、この鉛直軸ＪにホルダＨを介して水平に取り付けられている所定径の円盤状のウエアディスクＤ等から構成されている。
【０００４】
したがって、テンタークリップＴＣ、ＴＣ、…がチェーンＴ、Ｔ’に取り付けられて走行するとき、炉Ｒの入口近傍において、開いた状態のテンタークリップＴＣ、ＴＣ、…に延伸するフィルムＦが供給され、クリップレバーｒの上方部ｒ”がクリップクローザＣ、Ｃ’のウエアディスクＤにより押されると、把持部ｒ’が把持台ｂに圧接して、スプリングｓによって圧接状態が維持される。すなわち、フィルムＦはその両耳部が把持される。そして、テンタークリップＴＣ、ＴＣ、…は、図５の（ア）に示されているように、炉Ｒ内を幅方向に少しずつ離間するように、すなわち広がりながら走行する。そうすると、フィルムＦは幅方向に延伸される。炉Ｒの出口において、クリップオープナＯ、Ｏ’がクリップレバーｒの上方部ｒ”に作用すると、把持部ｒ’はスプリングｓに抗して開く。そうすると、把持部ｒ’は把持台ｂから離間して、フィルムＦは解放され、クリップレバーｒはスプリングｓによって開いた状態が維持される。所定の倍率に延伸されたフィルムＦは、開放されて次の工程に送られる。
【０００５】
このように、クリップレバーｒがクリップクローザＣ、Ｃ’に接触して、フイルムは把持され、クリップオープナＯ、Ｏ’に接触して解放されるようになっているが、クリップレバーｒとクリップクローザＣ、Ｃ’あるいはクリップオープナＯ、Ｏ’との接触は衝撃的である。この衝撃的な接触によりこれらの部品は摩耗し、また騒音が発生してしまう。さらには、摩耗によって発生した鉄粉が、製品のフィルムに付着すると、フィルムの品質に悪影響を及ぼす。そこで、磁石の磁力を利用して、クリップクローザＣ、Ｃ’またはクリップオープナＯ、Ｏ’と非接触にクリップレバーｒを開閉することができる、色々なクリップ装置が提案されている。
【先行技術文献】
【特許文献】
【０００６】
【特許文献１】実公平４ー３８９８２号公報
【特許文献２】特開昭５９−４８１２３号公報
【特許文献３】特開平０４−５８７７４号公報
【特許文献４】特許第３４２２０４０号公報
【特許文献５】特許第３９３６７３９号公報
【０００７】
特許文献３には、クリップレバーの先端部とクリップクローザとクリップオープナのそれぞれに永久磁石が設けられ、磁石の斥力によってテンタークリップを開閉するクリップ装置が記載されている。クリップレバーは磁力によってクリップクローザやクリップオープナと反発するので、テンタークリップはこれらにより非接触に開閉されることになる。
【０００８】
特許文献４には、永久磁石からなるクリップクローザとクリップオープナによって、磁石の引力によってテンタークリップを開閉するクリップ装置が記載されている。特許文献４に記載のクリップ装置によると、クリップクローザは複数個の扇形状を呈する永久磁石からなり、クリップレバーの回転半径よりもわずかに外方に設けられ、下流に向かってクリップレバーの回転角が少しずつ大きくなるように互いにずらして並べられている。従って、テンタークリップが下流に走行するにつれて、鉄製のクリップレバーの先端部がクリップクローザから磁力を受けて、クリップレバーは回転角が少しずつ大きくなるように回動する。すなわち、テンタークリップは非接触で開くことになる。同様にクリップオープナは、クリップレバーの回転半径よりもわずかに外方に、下流に向かってクリップレバーの回転角が少しずつ小さくなるように並べられているので、テンタークリップは非接触で閉じられる。
【０００９】
特許文献５には、永久磁石からなるクリップクローザとクリップオープナによって、引力によってテンタークリップを開閉するクリップ装置が記載されている。特許文献５に記載のクリップ装置においては、クリップレバーの先端部は、断面形状がＵ字状を呈するように先端が切り欠かれているので、切欠によって小面積になっているクリップレバーの先端部には、磁力線が密に集中することになる。すなわち、クリップクローザとクリップオープナを構成している永久磁石から、強い引力を受けることになる。特許文献５に記載のクリップ装置も、特許文献４に記載のクリップ装置と同様に、磁石の引力によってテンタークリップが非接触で開閉される。
【発明の概要】
【発明が解決しようとする課題】
【００１０】
特許文献３〜５に記載のいずれのクリップ装置においても、テンタークリップの開閉の際に、クリップレバーとクリップクローザまたはクリップオープナは、直接接触しないので、摩耗の問題や騒音の問題はない。従って、クリップレバークリップクローザ、クリップオープナ等から鉄粉が生じて、フィルムに付着することもない。しかしながら、これらのクリップ装置には解決すべき問題点も見受けられる。例えば、特許文献３に記載のクリップ装置においては、クリップレバーのそれぞれに永久磁石が設けられているので磁石の個数が多く、このような永久磁石には強い磁力を得るために高価な材料が使用されているので、クリップ装置が高価になってしまう。さらには、クリップレバーは高温に加熱された炉の中に入れられるので、永久磁石が高温に晒されて劣化して、磁力が減少するという問題もある。
【００１１】
特許文献４または特許文献５に記載のクリップ装置にも問題が認められる。特許文献４または特許文献５には、クリップクローザまたはクリップオープナを構成している複数個の永久磁石の配置方法、すなわち極性を有する個々の永久磁石をどのように配置すべきかについては格別に記載されていない。すなわち、Ｎ極とＳ極をどのように配置すべきかについて記載されていない。例えば、強力な磁力を有する複数個の永久磁石を並べるとき、隣り合う２個の永久磁石を、一方の永久磁石のＮ極と他方の永久磁石のＳ極が隣接するように並べると、互いに反発しないので配置しやすい。しかしながら、永久磁石がこのように並べられているとすると、複数個の永久磁石によって形成される磁力線に密な部分と粗な部分が生じてしまう。そうすると、クリップレバーへの磁力の引力が不均一になってしまう。クリップ装置を比較的低速、例えば延伸するフィルムの速度が１００ｍ／分になるように運転する場合には問題は生じないが、５００ｍ／分等の高速で運転する場合には、磁力線の疎密の影響が大きくなってしまい、テンタークリップが安定して開閉されなくなってしまう。一方、単純に全ての永久磁石のＮ極が揃うように並べられているとすると、磁力線が互いに反発して拡散してしまい、クリップクローザとクリップレバーとの間に適切な磁力の引力が得られなくなってしまうことになる。このように、特許文献４、５のそれぞれに記載のクリップ装置においては、極性を有する個々の永久磁石の配置について格別に考慮されていないので、クリップ装置を高速に運転するときに、テンタークリップの開閉が安定しないという問題がある。
【００１２】
永久磁石に付着する鉄粉の問題も認められる。特許文献３〜５に記載のクリップ装置においては、クリップレバーはクリップクローザあるいはクリップオープナには接触しないので、これらから鉄粉が発生することはない。しかしながら、他の装置から発生する鉄粉が永久磁石に付着して、これらが落下してフィルムに付着し、フィルムの品質に影響を与える場合がある。従って、永久磁石に付着してしまった鉄粉を定期的に除去する清掃作業が必要であるが、特許文献３〜５に記載のクリップ装置においては永久磁石は露出していて分解できる構造になっていないので、付着した鉄粉を除去するのは困難である。
【００１３】
本発明は、上記したような問題点を解決したクリップ装置を提供することを目的としており、具体的には、鉄粉の飛散や騒音の問題がなく、高温によって永久磁石が劣化することもなく、クリップ装置を高速で運転しても安定してテンタークリップを開閉でき、鉄粉の清掃も容易なクリップ装置を提供することを目的としている。
【課題を解決するための手段】
【００１４】
本発明は、上記目的を達成するために、クリップ装置において、テンタークリップのクリップレバーは、その頭部を磁性材料から構成し、クリップクローザ、およびクリップオープナは、それぞれクリップレバーの前記頭部の回転軌道の外方に所定の隙間を空けて配置された複数個の磁石から構成する。そして、このような複数個の永久磁石は、テンタークリップの走行方向に沿って互いに隣接する第１、２の列に並べられ、第１の列の磁石はクリップレバーの頭部にＳ極が対向するように、第２の列の磁石はクリップレバーの頭部にＮ極が対向するようにそれぞれ配置される。さらに、各列の磁石は、走行方向の下流に向かって少しずつずらして配置する。
【００１５】
かくして、請求項１記載の発明は、上記目的を達成するために、フィルムを把持するテンタークリップと、該テンタークリップを閉じるクリップクローザと、該テンタークリップを開くクリップオープナとを備え、前記テンタークリップによってフィルムの両端部を把持して該フィルムを幅方向に延伸するクリップ装置において、前記テンタークリップは、頭部が磁性材料から構成されているクリップレバーを備え、前記クリップレバーはベースから立ち上がったアームに回転可能に軸支され、第１の回転位置を採ると前記テンタークリップが閉じられて前記ベースと前記クリップレバーの把持部によってフィルムが把持され、第２の回転位置を採ると前記テンタークリップが開かれて前記フィルムが解放されるようになっており、前記クリップクローザ、および前記クリップオープナは、前記クリップレバーの前記頭部の回転軌道の外方に所定の隙間を空けて配置された複数個の磁石から構成され、前記複数個の磁石は、前記テンタークリップの走行方向に沿って互いに隣接する第１、２の列に並べられ、前記第１の列の磁石は前記クリップレバーの頭部にＳ極が対向するように、前記第２の列の磁石は前記クリップレバーの頭部にＮ極が対向するようにそれぞれ配置され、各列の磁石は、走行方向の下流に向かって少しずつずらされて、それによって前記テンタークリップが走行するとき、前記クリップレバーの頭部が磁力の引力を受けて、前記第１の回転位置から前記第２の回転位置に、あるいは前記第２の回転位置から前記第１の回転位置に回転して、前記テンタークリップが開閉するように構成される。
請求項２に記載の発明は、請求項１に記載のクリップ装置において、前記複数個の磁石は、それぞれ非磁性材料からなる所定のケースに入れられているように構成され、請求項３に記載の発明は、請求項１に記載のクリップ装置において、前記第１の列のそれぞれの磁石と、前記第２の列のそれぞれの磁石とは、互いに隣接する２個の磁石からペアが形成され、それぞれのペアは、非磁性材料からなる同一のケースに入れられるように構成される。
そして、請求項４に記載の発明は、請求項１〜３のいずれかの項に記載のクリップ装置において、前記クリップレバーの頭部は、飽和磁束密度が１．０Ｔ以上の磁性材料から構成され、前記複数個の磁石と前記クリップレバーの前記頭部の回転軌道の隙間は、３〜５ｍｍ空けられるように構成される。
【発明の効果】
【００１６】
以上のように、本発明によると、クリップ装置において、テンタークリップのクリップレバーは、その頭部を磁性材料から構成され、クリップクローザおよびクリップオープナは、それぞれクリップレバーの前記頭部の回転軌道の外方に所定の隙間を空けて配置された複数個の磁石から構成されているので、テンタークリップの開閉は、クリップクローザやクリップオープナと非接触的に行われ、鉄粉の飛散や騒音の問題がない。また、永久磁石はクリップクローザやクリップオープナにしか設けられていないので、高温によって永久磁石が劣化することもない。そして、このような複数個の永久磁石は、テンタークリップの走行方向に沿って互いに隣接する第１、２の列に並べられ、第１の列の磁石はクリップレバーの頭部にＳ極が対向するように、第２の列の磁石はクリップレバーの頭部にＮ極が対向するようにそれぞれ配置されているので、第１の列と第２の列の間に密に磁力線が分布する。すなわち、磁力線は第２の列のＮ極から第１の列のＳ極に向かい、テンタークリップの走行方向を横切るように分布する。このような磁力線は均一に分布するので、クリップレバーの頭部には安定した引力が作用する。従って、クリップ装置を高速で運転しても安定してテンタークリップを開閉することができる。また、本発明によると、永久磁石は非磁性材料からなる所定のケースに入れられているので、ケースの表面に鉄粉が付着しても、永久磁石をケースから取り出すだけで容易に鉄粉を除去することができ、クリップ装置の清掃が容易になる。
【図面の簡単な説明】
【００１７】
【図１】本発明の実施の形態に係るクリップ装置を模式的に示す図であり、その（ア）はクリップ装置を備えた延伸装置を示す上面図、その（イ）はテンタークリップを示す側面図、その（ウ）はクリップクローザあるいはクリップオープナの一部を示す斜視図である。
【図２】本実施の形態に係る磁気回路ユニットと、磁気回路ユニットを固定している固定盤を示す側面断面図である。
【図３】本実施の形態に係るクリップ装置の作用を説明するための図であり、その（ア）〜（ウ）は、クリップクローザあるいはクリップオープナによって開閉するテンタークリップのそれぞれの状態を示す側面図である。
【図４】本発明の実施の形態に係るクリップ装置において、装置に必要な条件を示すグラフであり、その（ア）はクリップ走行速度に対して必要となるクリップクローザまたはクリップオープナの必要な長さを、その（イ）は永久磁石とクリップレバーの頭部との間隔と、それらの間に発生する引力の関係を、それぞれ示すグラフである。
【図５】従来技術を示す図で、その（ア）は従来技術に係るクリップ装置を備えた延伸装置を示す上面図、その（イ）は従来技術に係るテンタークリップとクリップクローザを示す側面図である。
【発明を実施するための形態】
【００１８】
以下、本発明の実施の形態について説明する。本実施の形態に係るクリップ装置１も、図１の（ア）に示されているように、概略、一対の循環するレール２、２にガイドされて走行するチェーン３、３、これらのチェーン３、３に連続的に取り付けられている複数個のテンタークリップ５、５、…、炉６の入り口の近傍に配置され、テンタークリップ５、５、…を閉じる一対のクリップクローザ８、８、炉Ｒの出口近傍に配置されテンタークリップ５、５を開く一対のクリップオープナ９、９等から構成されている。一対のレール２、２は、炉６内においてその間隔が下流に向かって広がっており、炉６内は所定の温度雰囲気に保たれているので、テンタークリップ５、５、…によって両耳部を把持されたフィルム１０が下流に送られるとき、幅方向に延伸されることになる。
【００１９】
本実施の形態に係るテンタークリップ５は、図１の（イ）に示されているように、従来周知のテンタークリップと類似した構成を有している。すなわち、テンタークリップ５は、チェーン３のリンク１１の上面に固定されているベース１３と、クリップレバー１６とから構成され、クリップレバー１６は、ベース１３から立ち上がり、そして片持ち梁状に水平に延びているアーム１４（１４）に、所定の軸受部１５によって、回動自在に軸受されている。クリップレバー１６は、軸受部１５において所定の角度で屈折しており、図１の（イ）において、軸受部１５より下方の部分は短く、上方の部分は長く形成されている。そして、短い方の端部はフィルム１０を把持する把持部１８になっており、クリップレバー１６が、図１の（イ）において実線で示されている第１の回転位置を採ると、フィルム１０がベース１３と把持部１８とで挟まれて把持され、一点鎖線で示されている第２の回転位置を採ると、フィルム１０が解放されるようになっている。図１の（イ）には示されていないが、クリップレバー１６は所定のバネによって付勢されており、クリップレバー１６が第１の回転位置にあるときにはこの回転位置で維持され、バネの弾性力に抗してクリップレバー１６を回転して所定の回転角を超えると、第２の回転位置の方向に付勢されて、第２の回転位置で維持されるようになっている。
【００２０】
図１の（イ）において、クリップレバー１６の上方の端部すなわちクリップレバー１６の頭部２０は、飽和磁束密度が１．０Ｔ（テスラ）以上の磁性材料から、所定の大きさに形成されている。従って、後で説明するクリップクローザやクリップオープナを構成している磁石の磁力によって強い引力を受けることになる。頭部２０を形成する磁性材料としては、球状黒鉛鋳鉄、ＦＣＤ４５０（飽和磁束密度１．５８Ｔ）、低炭素鋼、Ｓ２５Ｃ（飽和磁束密度１．７Ｔ）、フェライト系不銹鋼であるＳＵＳ４３０（飽和磁束密度１．７Ｔ）等を適用することができる。
【００２１】
クリップクローザ８とクリップオープナ９は、いずれも、所定の配列に並べられた複数個の磁石から構成されている。図１の（ウ）には、８個の永久磁石２１、２２、…と、これらの磁石２１、２２、…が取り付けられている固定盤２６とが示されている。クリップクローザ８とクリップオープナ９は、それぞれ、３個以上のこのような固定盤２６から構成されており、それによって複数個の永久磁石が連続して配置され、クリップレバー１６を引力によって回転してテンタークリップ５を開閉するようになっている。
【００２２】
固定盤２６は所定の厚さの鋼板から形成され、端部近傍にはボルト挿入孔が明けられたクレビス２８、２８が形成されている。このクレビス２８、２８には、ボルト３１、３１により、外部に設けられている２本の所定の固定棹３０、３０が連結されている。固定盤２６は、矢印３２で示されているようにクレビス２８、２８を中心に所定の角度に回転することができ、所定の調整された角度で、ボルト３１、３１とナットによって固定されている。このような固定盤２６には、鋼板を貫通する軸方向に所定長さの溝３３、３３、…が４本明けられている。これらの溝３３、３３、…のそれぞれには、ボルト３６、３６、…が挿通され、これらのボルト３６、３６、…に２個の永久磁石２１、２２からなる磁気回路ユニット３５、３５、…がそれぞれ取り付けられている。ボルト３６、３６、…が挿通されている溝３３、３３、…は、軸方向に所定長さに形成されているので、磁気回路ユニット３５、３５、…を、矢印３８方向にスライドさせて任意の位置に固定することができる。
【００２３】
磁気回路ユニット３５について、図２によって詳しく説明する。磁気回路ユニット３５は、長方形の板状を呈するヨーク４０と、所定のスペーサ４２を挟んでヨーク４０に固定されている第１、２の永久磁石２１、２２と、これらが格納されているケース４１とから構成されている。第１、２の永久磁石２１、２２は、サマリュウムコバルト磁石、ネオジム磁石等の強力な磁力を有する、いわゆる希土類磁石から構成されており、第１、２の永久磁石２１、２２は極性が反対向きになるように配置されている。すなわち、第１の永久磁石２１はＮ極が、第２の永久磁石はＳ極がそれぞれヨーク４０に固定されている。ヨーク４０は、ＳＳ４００、またはＳＵＳ４３０からなる磁性材料から構成されているので、磁気回路ユニット３５には、磁力線４４、４４で示されているように、第１の永久磁石２１と第２の永久磁石２２とヨーク４０を循環すると共に、磁力線が密に集中した磁気回路が形成されることになる。ケース４１は、ＳＵＳＵ３０４、またはアルミニウム等の非磁性材料から構成され、肉厚は１ｍｍ程度になっているので、実質的に磁力線４４、４４はケース４１には影響されない。第１、２の永久磁石２１、２２は、このようなケース４１に格納されているので、周囲に浮遊している鉄粉が強力な磁力によって吸い寄せられてケース４１の表面に付着したとしても、第１、２の永久磁石２１、２２をケース４１から取り出すだけで、鉄粉をケース４１から分離することができる。すなわち、鉄粉を容易に除去できるようになっている。
【００２４】
このような磁気回路ユニット３５、３５、…の、固定盤２６への固定方法を説明する。各磁気回路ユニット３５、３５、…は、それぞれクリップレバー１６の頭部２０の回転軌道の外方に、頭部２０と所定の隙間ｔを空けて対向するように固定盤２６に固定されている。この隙間ｔは２〜４ｍｍになるように、所定のシムが磁気回路ユニット３５、３５、…と固定盤２６の間に挿入されて調整されている。すなわち、ケース４１を除いて考えると、第１、２の永久磁石２１、２２と頭部２０の隙間は３〜５ｍｍに維持されている。そして、４個の磁気回路ユニット３５、３５は、図１の（ウ）に示されているように、隣り合う永久磁石の極性が揃うように配置されて固定盤２６に取り付けられている。すなわち、第１の永久磁石２１、２１、…が隣接して並び、かつ第２の永久磁石２２、２２、…が隣接して並ぶように配置されている。そうすると、第１の永久磁石２１、２１、…からなる、頭部２０にＳ極が対向する第１の列４６の磁石と、第２の永久磁石２２、２２、…からなる、頭部２０にＮ極が対向する第２の列４７の磁石が、テンタークリップ５の走行方向に沿って配置されることになる。このように配置されているので、第１の列４６と第２の列４７の間に磁力線の乱れの少ない均一な磁気回路が形成されて、クリップレバー１６の頭部２０が強力に引き寄せられることになる。なお、クリップレバー１６の頭部２０にはこのように強い引力が作用するので、第１、２の永久磁石２１、２２と頭部２０の隙間が一定に維持されるように、テンタークリップ５、５、…が固定されているチェーン３には、６．０〜１０．０ｋＮのクリップ張力、すなわちテンションが与えられている。
【００２５】
クリップクローザ８は、少なくとも３個以上の固定盤２６の集合体からなり、これらの固定盤２６、２６、…はテンタークリップ５の走行方向に沿って少しずつずらされるようにして配置されている。すなわち、最上流の固定盤２６は、図３の（ア）に示されているように、磁気回路ユニット３５がクリップレバー１６の軸受部１５の鉛直上方に位置するように配置され、隣接する下流側の固定盤２６は、図３の（イ）に示されているように、磁気回路ユニット３５が軸受部１５の鉛直上方から１５°傾けられるように配置され、最下流の固定盤２６は、図３の（ウ）に示されているように、磁気回路ユニット３５が軸受部１５の鉛直上方から３０°傾けられるように配置されている。このように配置されているので、第１、２の列４６、４７の磁石は、走行方向の下流に向かって少しずつずらされることになる。同様に、クリップオープナ９も、３個以上のこのような固定盤２６からなり、固定盤２６、２６、…はテンタークリップ５の走行方向に沿って少しずつずらされるようにして配置されているが、最上流の固定盤２６は図３の（ウ）に示されているように、その下流の固定盤２６は図３の（イ）に示されているように、最下流の固定盤２６は図３の（ア）に示されているようにそれぞれ配置されている。
【００２６】
本実施の形態に係るクリップ装置１の作用を説明する。図１の（ア）に示されているように、チェーン３がレール２にガイドされて走行すると、テンタークリップ５、５、…が矢印で示されている方向に走行する。テンタークリップ５、５、…は、開いた状態でクリップクローザ８に到達するが、クリップクローザ８を構成している最上流の固定盤２６、その下流の固定盤２６、最下流の固定盤２６を経由すると、図３の（ア）、（イ）、（ウ）で示されるように、クリップレバー１６の頭部２０は、磁気回路ユニット３５からの引力を受けて回転する。そうすると、フィルム１０の端部すなわち耳部はベース１３とクリップレバー１６の把持部１８に挟まれる。すなわち、テンタークリップ５によって把持される。このとき、他方の耳部も他のテンタークリップ５によって把持される。図１の（ア）に示されているようにフィルム１０は、テンタークリップ５、５、…に両耳部を把持されて搬送され、炉６内を通過するときに幅方向に延伸される。テンタークリップ５、５、…がクリップオープナ９に到達して、クリップオープナ９を構成している最上流の固定盤２６、その下流の固定盤２６、最下流の固定盤２６を経由すると、図３の（ウ）、（イ）、（ア）で示されるように、クリップレバー１６の頭部２０は、磁気回路ユニット３５からの引力を受けて回転する。そうすると、フィルム１０の耳部は解放される。延伸されたフィルム１０は、図示されていない巻取機等に引き取られる。
【実施例１】
【００２７】
本実施の形態に係るクリップ装置１を備えた延伸装置において、フィルムの延伸の実験を行った。
○  実験に使用されたフィルムについて
材料  ：  ポリプロピレン
厚さ  ：  １００μｍ
幅    ：  ２ｍ
○  クリップクローザ８について  （クリップオープナ９も同様の条件）
第１、２の永久磁石２１、２２の、テンタークリップの走行方向の幅  ：  ４０ｍｍ
固定盤２６の個数  ：  ３個  （磁気回路ユニット３５の個数は３×４＝１２個）
このときの、クリップクローザ８／クリップオープナ９のテンタークリップ走行方向の長さは、４０ｍｍ×１２個＝４８０ｍｍである。
上の条件で、延伸の実験を実施したところ、延伸装置の出口で測定されるフィルムの速度を、４５０ｍ／ｍｉｎの高速で運転しても、テンタークリップ５、５、…は安定して開閉されることが確認できた。
【実施例２】
【００２８】
クリップクローザ８とクリップオープナ９の条件を変更して同様の実験を行った。
○  クリップクローザ８について  （クリップオープナ９も同様の条件）
第１、２の永久磁石２１、２２の、テンタークリップの走行方向の幅  ：  ４０ｍｍ
固定盤２６の個数  ：  ４個  （磁気回路ユニット３５の個数は４×４＝１６個）
このときの、クリップクローザ８／クリップオープナ９のテンタークリップ走行方向の長さは、４０ｍｍ×１６個＝６４０ｍｍである。
上の条件で、延伸の実験を実施したところ、延伸装置の出口で測定されるフィルムの速度を、５５０ｍ／ｍｉｎの高速で運転しても、テンタークリップ５、５、…は安定して開閉されることが確認できた。
【００２９】
テンタークリップ５を安定して開閉するために、装置に要求される条件を実験によって得た。図４の（ア）のグラフには、テンタークリップ５の走行速度に対して、クリップクローザ８、またはクリップオープナ９の必要な長さ、すなわちテンタークリップ５の走行方向における長さが示されている。図４の（イ）のグラフには、クリップレバー１６の頭部２０と第１、２の永久磁石２１、２２の間隔と、それらの間に作用する引力の関係が示されている。３〜５ｍｍの間隔になるように調整すると、最適な引力が得られる。
【００３０】
本発明の実施の形態は色々な変形が可能である。例えば、第１の磁石２１と第２の磁石２２は、異なる向きに配置されていても同様に実施できる。すなわち、磁気回路ユニット３５において、第１の磁石２１はＳ極が、第２の磁石２２はＮ極がそれぞれヨーク４０に固定されるようにしてもよい。また、固定盤２６の個数についても４個、または５個であっても同様に実施することが可能である。
【符号の説明】
【００３１】
１      クリップ装置            ２      レール
３      チェーン                ５      テンタークリップ
８      クリップクローザ        ９      クリップオープナ
１０      フィルム
１６      クリップレバー        １８      把持部
２０      頭部
２１      第１の永久磁石        ２２      第２の永久磁石
２６      固定盤                ３５      磁気回路ユニット
４６      第１の列              ４７      第２の列
【図１】
2011031528.tif 000003
【図２】
2011031528.tif 000004
【図３】
2011031528.tif 000005
【図４】
2011031528.tif 000006
【図５】
2011031528.tif 000007